(57)【特許請求の範囲】
【請求項１】
ユーザの唇の間に直接挿入されるようにサイズ決めされた出口につながる収納チャンバを有する容器を備え、前記出口が、常時閉位置を有する変位可能な封止クロージャをさらに備え、前記封止クロージャが前記閉位置から変位して前記チャンバから少なくとも１つのピルを投薬可能にすることが、前記ユーザの口が前記出口と相互作用することによって引き起こされる、ピルを収容し前記ユーザの口に直接投薬するためのレセプタクルであって、前記封止クロージャが前記閉位置から変位して前記チャンバから少なくとも１つのピルを投薬可能にすることが、前記ユーザの口によりスパウト及び前記封止クロージャに加えられる吸引によって引き起こされる、前記ピルを収容し前記ユーザの口に直接投薬するためのレセプタクル。
【請求項２】
ユーザの唇の間に直接挿入されるようにサイズ決めされた出口につながる収納チャンバを有する容器を備え、前記出口が、常時閉位置を有する変位可能な封止クロージャをさらに備え、前記封止クロージャが前記閉位置から変位して前記チャンバから少なくとも１つのピルを投薬可能にすることが、前記ユーザの口が前記出口と相互作用することによって引き起こされる、ピルを収容し前記ユーザの口に直接投薬するためのレセプタクルであって、前記封止クロージャが前記閉位置から変位して前記チャンバから少なくとも１つのピルを投薬可能にすることが、前記ユーザの口によりスパウト及び前記封止クロージャに加えられる吸い込みによって引き起こされる、前記ピルを収容し前記ユーザの口に直接投薬するためのレセプタクル。
【請求項３】
ユーザの唇の間に直接挿入されるようにサイズ決めされた出口につながる収納チャンバを有する容器を備え、前記出口が、常時閉位置を有する変位可能な封止クロージャをさらに備え、前記封止クロージャが前記閉位置から変位して前記チャンバから少なくとも１つのピルを投薬可能にすることが、前記ユーザの口が前記出口と相互作用することによって引き起こされる、ピルを収容し前記ユーザの口に直接投薬するためのレセプタクルであって、前記封止クロージャが前記閉位置から変位して前記チャンバから少なくとも１つのピルを投薬可能にすることが、前記ユーザの口によりスパウト及び前記封止クロージャに加えられる吐き出しによって引き起こされる、前記ピルを収容し前記ユーザの口に直接投薬するためのレセプタクル。
【請求項４】
いずれか１つの線寸法が３ｍｍ〜３０ｍｍであるピルが出口の開口部を通過する、請求項１〜３のいずれかに記載のピルを収容しユーザの口に直接投薬するためのレセプタクル。
【請求項５】
ユーザの唇の間に直接挿入されるようにサイズ決めされた出口につながる収納チャンバを有する容器を備え、前記出口が、常時閉位置を有する変位可能な封止クロージャをさらに備え、前記封止クロージャが前記閉位置から変位して前記チャンバから少なくとも１つのピルを投薬可能にすることが、前記ユーザの口が前記出口と相互作用することによって引き起こされる、ピルを収容し前記ユーザの口に直接投薬するためのレセプタクルであって、前記少なくとも１つのピルを前記チャンバに導入して、前記出口を介して投薬されるようにするための取入口をさらに備える、前記ピルを収容し前記ユーザの口に直接投薬するためのレセプタクル。
【請求項６】
取入口が容器の表面に設けられた開口部にヒンジ留めされる、請求項５に記載のピルを収容しユーザの口に直接投薬するためのレセプタクル。
【請求項７】
取入口が一方向弁を備える、請求項５に記載のピルを収容しユーザの口に直接投薬するためのレセプタクル。
【請求項８】
取入口が、再封止可能に開閉できるスリットを有する半可撓性材料によって覆われた開口部を備える、請求項５に記載のピルを収容しユーザの口に直接投薬するためのレセプタクル。
【請求項９】
レセプタクルの出口をユーザの口と向い合せの投薬上の関係に持っていき、配置するためのハンドルを備える、請求項１〜８のいずれかに記載のピルを収容しユーザの口に直接投薬するためのレセプタクル。
【請求項１０】
ユーザの唇の間に直接挿入されるようにサイズ決めされた出口につながる収納チャンバを有する容器を備え、前記出口が、常時閉位置を有する変位可能な封止クロージャをさらに備え、前記封止クロージャが前記閉位置から変位して前記チャンバから少なくとも１つのピルを投薬可能にすることが、前記ユーザの口が前記出口と相互作用することによって引き起こされる、ピルを収容し前記ユーザの口に直接投薬するためのレセプタクルであって、前記封止クロージャが、前記出口の内側に設けられたフレームとの相互係合により閉位置に維持される、前記ピルを収容し前記ユーザの口に直接投薬するためのレセプタクル。
【請求項１１】
ユーザの唇の間に直接挿入されるようにサイズ決めされた出口につながる収納チャンバを有する容器を備え、前記出口が、常時閉位置を有する変位可能な封止クロージャをさらに備え、前記封止クロージャが前記閉位置から変位して前記チャンバから少なくとも１つのピルを投薬可能にすることが、前記ユーザの口が前記出口と相互作用することによって引き起こされる、ピルを収容し前記ユーザの口に直接投薬するためのレセプタクルであって、前記封止クロージャが、前記出口の内側に設けられた少なくとも部分的に可撓性のフレームにヒンジ留めされ、前記封止クロージャが、前記可撓性フレームとの相互係合により閉位置に維持される、前記ピルを収容し前記ユーザの口に直接投薬するためのレセプタクル。
【請求項１２】
少なくとも部分的に可撓性のフレームが、封止クロージャによって封止可能な開口部を備え、前記封止クロージャが、前記フレームの２つの端部間の空気圧差に応じて、前記開口部を通して変位可能である、請求項１１に記載のピルを収容しユーザの口に直接投薬するためのレセプタクル。
【請求項１３】
少なくとも部分的に可撓性のフレームが、封止クロージャによって封止可能な開口部を備え、前記封止クロージャが、ピルをチャンバ内に挿入するために、前記開口部を通って前記チャンバ側に内方へ変位可能であり、かつ前記ピルをユーザの口に投薬するために出口側に外方へ変位可能である、請求項１１に記載のピルを収容しユーザの口に直接投薬するためのレセプタクル。
【請求項１４】
少なくとも１つのピルをチャンバから投薬するために使用されるときに、前記ピルのいずれか１つの線寸法が３ｍｍ〜３０ｍｍである、請求項１〜１３のいずれかに記載のピルを収容しユーザの口に直接投薬するためのレセプタクル。
【請求項１５】
自動化され管理されたピルの医薬品ディスペンサと共に使用される、請求項５に記載のピルを収容しユーザの口に直接投薬するためのレセプタクル。
【請求項１６】
ユーザの唇の間に直接挿入されるようにサイズ決めされた出口につながる収納チャンバを有する容器を備え、前記出口が、常時閉位置を有する変位可能な封止クロージャをさらに備え、前記封止クロージャが前記閉位置から変位して前記チャンバから少なくとも１つのピルを投薬可能にすることが、前記ユーザの口が前記出口と相互作用することによって引き起こされる、ピルを収容し前記ユーザの口に直接投薬するためのレセプタクルであって、前記変位可能な封止クロージャが複数の可撓性フラップから形成される、前記ピルを収容し前記ユーザの口に直接投薬するためのレセプタクル。
【請求項１７】
可撓性フラップが少なくとも部分的に重なる、請求項１６に記載のピルを収容しユーザの口に直接投薬するためのレセプタクル。
【請求項１８】
ユーザの唇の間に直接挿入されるようにサイズ決めされた出口につながる収納チャンバを有する容器を備え、前記出口が、常時閉位置を有する変位可能な封止クロージャをさらに備え、前記封止クロージャが前記閉位置から変位して前記チャンバから少なくとも１つのピルを投薬可能にすることが、前記ユーザの口が前記出口と相互作用することによって引き起こされる、ピルを収容し前記ユーザの口に直接投薬するためのレセプタクルであって、前記変位可能な封止クロージャが複数の可撓性フィラメントから形成される、前記ピルを収容し前記ユーザの口に直接投薬するためのレセプタクル。
【請求項１９】
ユーザの唇の間に直接挿入されるようにサイズ決めされた出口につながる収納チャンバを有する容器を備え、前記出口が、常時閉位置を有する変位可能な封止クロージャをさらに備え、前記封止クロージャが前記閉位置から変位して前記チャンバから少なくとも１つのピルを投薬可能にすることが、前記ユーザの口が前記出口と相互作用することによって引き起こされる、ピルを収容し前記ユーザの口に直接投薬するためのレセプタクルであって、前記出口が前記レセプタクルに解放可能に連結される、前記ピルを収容し前記ユーザの口に直接投薬するためのレセプタクル。
【請求項２０】
解放可能な出口が使い捨てで交換可能である、請求項１９に記載のピルを収容しユーザの口に直接投薬するためのレセプタクル。
【請求項２１】
ユーザの唇の間に直接挿入されるようにサイズ決めされた出口につながる収納チャンバを有する容器を備え、前記出口が、常時閉位置を有する変位可能な封止クロージャをさらに備え、前記封止クロージャが前記閉位置から変位して前記チャンバから少なくとも１つのピルを投薬可能にすることが、前記ユーザの口が前記出口と相互作用することによって引き起こされる、ピルを収容し前記ユーザの口に直接投薬するためのレセプタクルであって、前記出口が、前記変位可能な封止クロージャに対して、前記封止クロージャの前で外方へ離間関係に配置された止め面を備え、前記止め面が、該止め面を開口させるための、前記ユーザの口と前記封止クロージャとの間の空気変位を可能にする空気孔を備えて、前記止め面が、前記封止クロージャから出て前記止め面に直面するピルを偏向させるように構成され、前記出口が、前記封止クロージャから出るピルを重力の影響下で投薬するように配置された開口部をさらに備える、前記ピルを収容し前記ユーザの口に直接投薬するためのレセプタクル。
【発明の詳細な説明】
【技術分野】
【０００１】
本発明は、管理された医薬品投与の分野に関する。詳細には、本発明は、医薬品ディスペンサに関する。より詳細には、本発明は、solid medicinal pills（以下、「ピル」という。）を収容し投薬するためのレセプタクルに関する。
【背景技術】
【０００２】
定期的にピルを投薬する病院及び介護施設における主な問題は、医療関係者が患者にピルを手で渡し、患者がそのピルを手で取って飲み込むことである。残念なことに、薬物療法を受ける多くの患者は、ふらつきやふるえがあり、又は虚弱である。患者はピルの取扱い中にピルを落とすことがあるため、ピルが汚染され、又はさらには紛失する。
【０００３】
病院での、また一般的な別の深刻な問題は、麻薬性鎮痛薬の配布の管理に関するものであり、ピルを無許可のユーザに譲渡及び／又は販売するために、患者がそのピルを手の平に隠すことが知られている。
【０００４】
本発明の目的は、封止可能な投薬クロージャを有する投薬手段を備え、クロージャが封止位置から変位してピルを投薬可能にすることが、ユーザの口によって引き起こされる、ピルを収容し投薬するためのレセプタクルを提供することにより、これら及びその他の関連する問題をなくすことである。
【０００５】
本発明の特有のレセプタクルは、１又は２以上のピルを指定された患者の口に直接投薬するように専用に設計されるため、ふらつきやふるえがあり、又は虚弱である患者がピルを落とす危険がなく、ピルが指定された患者の口に入ると、そのピルを無許可のユーザに譲渡及び／又は販売する危険がはるかに小さくなる。
【０００６】
ピルを収容し投薬するための先行技術のデバイスがあるが、いずれも問題やその問題に関連する欠点がある。
【０００７】
Bennettの米国特許第５，２５９，５３１号明細書は、レバーを手で操作することにより個々のピルを投薬する、ピルを収納及び投薬するための容器を開示している。容器は、ピルを受けるための上部領域と、ピルがそこから投薬される下部領域とを有する中空の縦型シリンダを使用する。下部領域は、ピルが通過するように構成された第１の開口部を下端部に有し、少なくとも１つの第２の開口部を側壁に有する。使用時には、まず投薬されるピルを上部領域に充填する必要がある。その後、容器を軽く叩くか、又は同様の動きを加えると、上部領域内のピルの１つが、レバーに連結された部分に係合する。レバーが第１の位置にあるときに、この部分は第３の開口部の下に位置し、第３の開口部を通ってこの部分に送達されるピルを受ける。レバーが第２の位置にあるときに、この部分は第１の開口部の上に位置し、この部分によって先に受けられたピルを第１の開口部に送達して、第１の開口部を通して排出する。
【０００８】
Bennettの容器は手で操作可能であるため、ユーザがピルを容器から取り出して、手で口に運ぶ必要がある。したがって、本明細書で前述したように、ふらつきやふるえがあり、又は虚弱であるユーザが、ピルを落とし、汚染させ、さらには紛失するおそれがある。
【０００９】
von Schukmannの米国特許第４，４０２，４２５号明細書は、１つの錠剤を解放するように操作されるばね荷重スライド押しボタンと、他を押し留めるための底部突起とを有する、錠剤投薬容器を開示している。個々の錠剤を１つずつ投薬するための容器は、収納チャンバ下方の容器の壁に設けられた錠剤落下開口部と、開口部の領域の前を走行し、錠剤の１つをその都度解放して落下可能にするばね荷重スライドとを備え、スライドには分配フィンガが関連付けられ、分配フィンガは、作動ボタンにより外側に向かって持続されるスライドの押下げ位置において、収納チャンバの底部開口部及び錠剤落下開口部の間の経路を遮断する。
【００１０】
Bennetの容器に関連する欠点と同様に、von Schukmannの容器は、ユーザがピルを口に直接運ぶためのものではなく、手に出すものであるため、摂取前にピルの汚染又は紛失の可能性がある。
【００１１】
丸剤、錠剤等の固体薬剤を投薬するためのデバイスを記載しているさらなる先行技術文献として、米国特許第５，６５７，９０１号明細書、フランス特許第２，６３７，２６６号明細書、米国特許出願公開第２００７／１１４２３９号明細書、米国特許第４，３５４，６１９号明細書、米国特許出願公開第２００４／１２４２０４号明細書、米国特許第７，１４７，１３０号明細書、米国特許第５，８５０，９１９号明細書、米国特許第５，０１８，６４４号明細書、米国特許第４，６５３，６６８号明細書、米国特許第４，７４４，４９２号明細書、米国特許第４，７８４，２９１号明細書、及び米国特許第６，１３１，７６５号明細書が挙げられる。しかしながら、上記特許文献のいずれも、本明細書で前述したピルディスペンサに関連する問題を解決していない。
【００１２】
IIzukaの特開２００８−１１０１５８号公報は、薬剤を充填したカプセルを収納する収納室を有するボディと、このボディの収納室に配置されたカプセルに孔を開ける穿孔手段と、穿孔されたカプセルの薬剤を収納室につながる排出経路を通して吸引するマウスピースとを備えた吸引式投薬器を開示している。ボディを、２箇所において開口部を有する筒体にて構成する。筒体の一方の開口部１ｄにマウスピースを設け、筒体のもう一方の開口部１ｅに、枢軸やヒンジ等の連結部を介して筒体に開閉可能につながり、その開放状態で収納室の入口を開としてカプセルの装填を行う蓋体を設ける。蓋体には、マウスピースによる吸引時にのみボディ内への外気の導通を許容する逆止弁を配置する。
【００１３】
IIzukaのデバイスにより、ユーザがピルを手で取り扱うことを避けることができるが、このデバイスは複雑な設計であるため、製造コスト及び販売価格が高くなる。さらに、前記デバイスは、多くの吸引器と同様に、カプセルからの微粉を送達するように設計されており、カプセル自体を送達するようには設計されていない。
【先行技術文献】
【特許文献】
【００１４】
【特許文献１】米国特許第５，２５９，５３１号明細書
【特許文献２】米国特許第４，４０２，４２５号明細書
【特許文献３】米国特許第５，６５７，９０１号明細書
【特許文献４】フランス特許第２，６３７，２６６号明細書
【特許文献５】米国特許出願公開第２００７／１１４２３９号明細書
【特許文献６】米国特許第４，３５４，６１９号明細書
【特許文献７】米国特許出願公開第２００４／１２４２０４号明細書
【特許文献８】米国特許第７，１４７，１３０号明細書
【特許文献９】米国特許第５，８５０，９１９号明細書
【特許文献１０】米国特許第５，０１８，６４４号明細書
【特許文献１１】米国特許第４，６５３，６６８号明細書
【特許文献１２】米国特許第４，７４４，４９２号明細書
【特許文献１３】米国特許第４，７８４，２９１号明細書
【特許文献１４】米国特許第６，１３１，７６５号明細書
【特許文献１５】特開２００８−１１０１５８号公報
【発明の概要】
【発明が解決しようとする課題】
【００１５】
したがって、本発明の主な目的は、本明細書で部分的に前述した先行技術に関連する問題及び欠点を克服する、ピルを収容し投薬するためのレセプタクルを提供することである。
【００１６】
加えて、本発明の目的は、病院及び介護施設並びに家庭において、ピルを収容し投薬するためのレセプタクルを提供することである。
【００１７】
本発明のさらに別の目的は、必要に応じてある治療方式のピルの管理された連続送達を可能にするタイプの自動医薬品ディスペンサと共に使用されるときに、ピルを一度に１又は２以上収容し投薬するためのレセプタクルを提供することである。
【００１８】
本発明の別の目的は、患者へ到達する前の薬物の汚染又は紛失を防止する、ピルを収容し投薬するためのレセプタクルを提供することである。
【００１９】
本発明のさらに別の目的は、製造が容易かつ安価で、使用が簡単な、ピルを収容し投薬するためのレセプタクルを提供することである。
【００２０】
本発明のさらなる目的及び利点が、説明が進むにつれて明らかになろう。
【課題を解決するための手段】
【００２１】
本発明の好ましい実施形態によれば、ユーザの唇の間に快適に挿入されるようにサイズ決めされたスパウト出口につながる収納チャンバを有する容器を備える、ピルを収容しユーザの口に直接投薬するためのレセプタクルが開示される。スパウト出口は、常時閉位置（normally closed position）を有する変位可能な封止クロージャをさらに備え、クロージャが閉位置から変位してチャンバから少なくとも１つのピルを投薬可能にすることが、ユーザの口がスパウト出口と相互作用することによって引き起こされる。
【００２２】
クロージャが閉位置から変位してチャンバから少なくとも１つのピルを投薬可能にすることが、空気圧差、特にユーザの口によりスパウト及びクロージャに加えられる吸引、吸い込み又は吐き出しによって引き起こされることが好ましい。
【００２３】
スパウトの開口部の内部横断面が４ｃｍ未満、場合によって３ｃｍ未満であることが好ましい。
【００２４】
レセプタクルが、少なくとも１つのピルをチャンバに導入して、スパウト出口を介して投薬されるようにするための取入口をさらに備えることが好ましい。
【００２５】
一態様によれば、取入口が容器の表面に設けられた開口部にヒンジ留めされる。別の態様によれば、取入口が一方向弁を備える。別の実施形態によれば、取入口が、再封止可能に開閉できるスリットを有する半可撓性材料によって覆われた開口部を備える。
【００２６】
レセプタクルが、レセプタクルのスパウト出口をユーザの口と向かい合わせの投薬上の関係（dispensing relation）に持っていき、配置するためのハンドルを備えることが好ましい。
【００２７】
封止クロージャが、スパウト出口の内側に設けられたフレームとの相互係合により閉位置に維持されることが好ましい。封止クロージャが、スパウトの内側に設けられた少なくとも部分的に可撓性のフレーム手段にヒンジ留めされ、ポータルが、可撓性フレームとの相互係合により閉位置に維持されることが好ましい。
【００２８】
少なくとも部分的に可撓性のフレームが、封止クロージャによって封止可能な開口部を備え、ポータルが、フレームの２つの側部間の空気圧差に応じて、開口部を通して変位可能であることが好ましい。
【００２９】
少なくとも部分的に可撓性のフレームが、封止クロージャによって封止可能な開口部を備え、クロージャが、ピルをチャンバ内に挿入するために、開口部を通ってチャンバ側に内方へ変位可能であり、かつピルをユーザの口に投薬するためにスパウト出口側に外方へ変位可能であることが好ましい。
【００３０】
本発明の特に好ましい実施形態において、レセプタクルが少なくとも１つのピルをチャンバから投薬するために使用され、ピルの１つの線寸法が３ｍｍ〜３０ｍｍである。
【００３１】
レセプタクルが、自動化され管理されたピルの医薬品ディスペンサと共に使用されることが好ましい。
【００３２】
投薬レセプタクルは、一体ハウジングと共に設けられ、一体ハウジングがピルディスペンサにロック可能であり、一体ハウジング及び投薬レセプタクルが共に使い捨てであって、連続する患者の各々について、ディスペンサに取り付けられた新しい一体ハウジング及び投薬レセプタクルを用いて、複数の連続する患者によるディスペンサの連続使用を可能にすることが好ましい。
【００３３】
投薬されるピルの少なくとも１つの縦列を有する、複数のピルを含む標準的な市販のブリスタパッケージタイプの平型パックから、各タイプのピルを送達する間の所定の処方最小時間間隔で、必要に応じてある治療方式のピルの管理された連続送達を可能にするタイプの医薬品ディスペンサと共に使用されるときに、ピルを一度に１又は２以上収容し投薬するための開示されたレセプタクルが提供され、
ディスペンサが、
ａ．少なくとも１つのこのようなブリスタパックを受けて、パックを固定ピル放出ステーションまで連続して前進させる少なくとも１つの電動ブリスタパック前進ユニットへパックを案内するようにサイズ決めされたアクセスポータルであって、ステーションが、
ｉ．ピル検出手段と、
ii．異なる大きさ、形状、及びブリスタパックアレイの間隔のピルを受けるようにサイズ決めされ配置された少なくとも１つのピル受け開口を有するブリスタパック支持部と、
iii．ブリスタパックがディスペンサ内の固定ピル放出ステーションを通って前進すると、前記開口を介してブリスタの裏材を通ってそれぞれのブリスタから一度に１つのピルを押し出すように、作動時に配置される電動ピル放出押圧手段とを備えるアクセスポータルと、
ｂ．ピルが開口から内部へ入るチャネルと、
ｃ．本発明による、チャネルからピルを受けるための投薬レセプタクルとを備える。
【００３４】
変位可能な封止クロージャが、複数の可撓性フラップから形成されていてもよい。
【００３５】
可撓性フラップが、少なくとも部分的に重なっていてもよい。
【００３６】
あるいは、変位可能な封止クロージャが、複数の可撓性フィラメントから形成される。
【００３７】
スパウト出口が、レセプタクルに解放可能に連結されていてもよい。
【００３８】
本発明の他の実施形態においては、解放可能なスパウト出口が使い捨てで交換可能である。
【００３９】
スパウト出口が、変位可能な封止クロージャに対して、封止クロージャの前で外方へ離間関係に配置された止め面を備え、前記止め面が、該止め面を開口させるための、ユーザの口と前記クロージャとの間の空気変位を可能にする少なくとも１つの空気孔を備えて、前記面が、前記クロージャから出て前記面に直面するピルを偏向させるように構成され、前記スパウト出口が、前記ピルが前記止め面に到達することによって偏向されているか否かに関わらず、前記クロージャから出るピルを重力の影響下で投薬するように配置された開口部をさらに備えていてもよい。
【００４０】
本発明による変位可能な封止クロージャの開口部は、ユーザがレセプタクルに空気を吹き込んで封止クロージャを開くか、又は頬若しくは肺の作用によって生じる吸引を加えて、クロージャをユーザ側へ引いて開くことによって引き起こされることが好ましいが、ユーザの唇、歯、若しくは顎の圧力によって操作される機械的ラッチ、息をレセプタクル内に吐き出すときのユーザの前記息の温度のセンサ、息をレセプタクル内に吐き出すときのユーザの前記息の湿度により起動するセンサ、又はさらにはユーザの吐き出される息の内容物によって起動する二酸化炭素センサ等の他の代わりの口起動開口部機構を有することも可能である。
【００４１】
上記及び関連する目的を達成するために、本発明は、添付図面に示す形で具体化され得る。以下で図面を特に詳細に参照するが、図示される細部は、例として、本発明の好ましい実施形態を例示的に説明するためのみに示されるものであり、本発明の原理及び概念的態様の最も有用かつ容易に理解される説明であると考えられるものを提供するために示されることを強調する。これに関し、本発明の基本的な理解のために必要な以上に詳しく本発明の詳細を示すことはせず、説明を添付図面と併せ読めば、本発明のいくつかの形を実際にどのように具体化できるか当業者には明らかになる。
【図面の簡単な説明】
【００４２】
【図１】収納チャンバ内にピルを有する、ピルを収容し投薬するための本発明のレセプタクルの横断面側面図である。
【図２ａ−２ｂ】レセプタクルの開口部側に外方へ枢動する出口クロージャ（図２ａ）、及びレセプタクルの収納チャンバ側に内方へ枢動するクロージャ（図２ｂ）を示す図である。
【図３】収納チャンバが、１又は２以上のピルを挿入可能な取入口と、ユーザが容器を掴んでレセプタクルをユーザの口に近付けて、スパウト出口をユーザの口の中に配置することのできるハンドルとを備える、レセプタクルの代替実施形態を示す図である。
【図４】自動の管理されたピルの医薬品ディスペンサにロック可能な一体ハウジングをさらに備える、図３のレセプタクルの実施形態を示す図である。
【図５】本発明のレセプタクルが組み込まれた、イスラエル明細書第２２０，７９４号による医薬品ディスペンサの正面斜視図である。
【図６】収納チャンバ内にピルを有し、変位可能な封止クロージャが、図６ａに示すように少なくとも部分的に重なる複数の可撓性フラップから形成される、ピルを収容し投薬するための本発明のレセプタクルの横断面側面図である。
【図６ｂ】複数の可撓性フィラメントから形成される封止クロージャを示す図である。
【図７】収納チャンバ内にピルを有する、ピルを収容し投薬するための本発明のレセプタクルの横断面側面図である。
【図７ａ−７ｂ】スパウト出口が前記レセプタクルにそれぞれ解放可能に連結され、かつ前記レセプタクルから連結解除され、前記スパウト出口が、止め面と、ユーザの口とレセプタクルのクロージャとの間の空気変位を可能にする空気孔とを備え、前記スパウト出口が、前記クロージャから出るピルを重力の影響下で投薬するように配置された開口部をさらに備える、図７のレセプタクルの部分図である。
【発明を実施するための形態】
【００４３】
ピルを収容し投薬するための本発明のレセプタクルの好ましい実施形態が、図１の横断面側面図に示され、全体が符号（１００）で示される。レセプタクル（１００）は、スパウト出口（１０６）につながる収納チャンバ（１０４）を有する容器（１０２）を備える。図ではピル（１０８）が収納チャンバ（１０４）内に配置される。
【００４４】
スパウト出口（１０６）は、ユーザの唇（図示せず）の間にスパウト出口（１０６）を配置するのに快適であるように形成されサイズ決めされる。そのために、スパウト出口（１０６）の開口部（１１０）の内径（ｄ）は４ｃｍ未満、好ましくは３ｃｍ未満であり、これにより、ピル（１０８）がスパウト出口（１０６）の開口部（１１０）を確実に容易に通過するようにし、ピルがチャンバから容易に手で取り出されないようにする。
【００４５】
常時閉位置を有する変位可能な封止クロージャ（１１２）の好ましい実施形態が、図１に示される。常時閉位置から、収納チャンバ（１０４）からのピルの投薬を可能にする開位置へのクロージャ（１１２）の変位は、本明細書において以下でさらに説明するように、スパウト出口（１０６）と相互作用するときにユーザの口によって引き起こされることが好ましい。
【００４６】
好ましい実施形態によれば、クロージャ（１１２）が、スパウト出口（１０６）内に設けられた、クロージャ（１１２）を囲むフレーム（１１４）との相互係合によって常時閉位置に維持される。クロージャ（１１２）の一端部（１１３）がフレーム（１１４）の一端部（１１６）にヒンジ留めされて、クロージャ（１１２）を収納チャンバ（１０４）側に内方へ、かつ開口部（１１０）側に外方へ選択的に枢動させることができることが好ましい。
【００４７】
前述した、ユーザの口を介したクロージャ（１１２）の変位（すなわち枢動）は、空気圧差により引き起こされ、この差はユーザの口によって行われる吸引（suction）、吸い込み（inhalation）、及び吐き出し（exhalation）の１又は２以上により発生し得る。ユーザが吸引又は吸い込みを口で行うと、クロージャ（１１２）が開口部（１１０）側に外方へ枢動し（図２ａ参照）、ユーザが吐き出しを口で行うと、クロージャ（１１２）が収納チャンバ（１０４）側に内方へ枢動する（図２ｂ参照）。
【００４８】
加えて、１又は２以上のピルを最初にチャンバ（１０４）に挿入して、後から口による作動で投薬するために、クロージャ（１１２）の内方への変位を、開口部（１１０）を通って挿入される押込みデバイス（図示せず）によって引き起こして、ユーザの口によって生じる吐き出し圧によりもたらされるものと同様の力をクロージャ（１１２）にもたらすことができる。押込みデバイスは、手で保持してクロージャ（１１２）側に押される幅小の細長の物体であり得る。一般的に、ユーザが収納チャンバ（１０４）に含まれるピル（１０８）を摂取したいときには、ユーザの口を使用してクロージャ（１１２）の変位を引き起こす。一般的に、ユーザ又は医療提供者がピル（１０８）を収納チャンバ（１０４）に挿入したいときには、押込みデバイスを使用してクロージャ（１１２）の変位を引き起こす。
【００４９】
図１を参照し、少なくとも、クロージャ（１１２）がヒンジ連結されたフレーム（１１４）の端部（１１６）と反対側のフレーム（１１４）の端部（１１８）が、ゴム又は他の封止材料等の可撓性材料から作られて、フレーム（１１４）とクロージャ（１１２）との間に封止関係をもたらす。フレーム（１１４）の内周全体が可撓性封止材料から作られることが好ましい。
【００５０】
代替実施形態（図示せず）では、クロージャ（１１２）の少なくとも一端部が可撓性封止材料を備えて、スパウト出口（１０６）の内壁（１２０）と直接、封止関係をもたらす。
【００５１】
クロージャ（１１２）の内方又は外方への変位に続いてピル（１０８）が収納チャンバ（１０４）内に配置されると、ピル（１０８）がスパウト出口（１０６）の開口部（１１０）を通ってレセプタクル（１００）からユーザの口へ直接排出される。したがって、不安定な人がピルを取り扱うことによって生じ得る問題が避けられる。加えて、ユーザの口との接触によって汚染された後の麻薬性鎮痛薬を無許可で譲渡又は販売する可能性が大幅に低下する。
【００５２】
ユーザが口での吸引、吸い込み又は吐き出しをやめると、クロージャ（１１２）は反対方向に枢動して、常時閉位置に戻る。同様に、押込みデバイスを使用してクロージャ（１１２）を内方へ変位させた後に、押込みデバイスがスパウト出口（１０６）から取り出されると、クロージャ（１１２）は反対方向に枢動して、常時閉位置に戻る。
【００５３】
本発明の好ましい実施形態によれば、ピルを収納チャンバ（１０４）に挿入する方法がスパウト出口（１０６）を通したもののみとなるように、収納チャンバ（１０４）の壁（１２２）が封止される。
【００５４】
図３に示す代替実施形態（２００）によれば、収納チャンバ（２０４）の壁（２２２ａ）が、１又は２以上のピル（１０８）を挿入可能な一方向トラップ（２２４）を備える。一方向トラップ（２２４）により、ピルが収納チャンバ（２０４）に入ることができ、ピルが一方向トラップ（２２４）を通って出る可能性を減らす。代替態様では、取入口が、例えばスリットを有する半可撓性材料により覆われた開口部（図示せず）を備える。ユーザが推力を与えてスリットを通してピルを押すことにより、ピルが収納チャンバに入ることができるが、ピルはスリットを通して収納チャンバから出ることはできない。ピルがスリットを通るのに十分な大きさの推力を、収納チャンバ内から発生させることができないためである。さらなる代替態様では、取入口が第２のクロージャによって覆われた開口部（図示せず）を備え、第２のクロージャは端部の一方で開口部の端部にヒンジ留めされる。
【００５５】
図３に示すように、一実施形態によれば、レセプタクル（２００）は、ユーザが容器（２０２）を掴むことができるようにし、かつレセプタクル（２００）をユーザの口に近付けて、スパウト出口（２０６）をユーザの口の中に投薬上の関係（dispensing relation）で配置するためのハンドル（２２６）をさらに備える。しかしながら、代替実施形態では、レセプタクル（２００）がハンドル（図示せず）を備えていない。したがって、ユーザがピルをレセプタクル（２００）から受けたいときには、ユーザは希望に応じて容器（２０２）を直接つかむことにより、レセプタクル（２００）を手で配置する。
【００５６】
好ましい実施形態では、レセプタクル（２００）は、自動の管理されたピルの医薬品ディスペンサ、例えば、その開示が参照により本明細書に完全に組み込まれている、本発明と同一の発明者によるイスラエル特許出願第ＩＬ２２０７９４号明細書に記載された医薬品ディスペンサと共に使用される。
【００５７】
図４を参照すると、レセプタクル（２００）はさらに、イスラエル特許出願第ＩＬ２２０７９４号明細書に記載されたピルディスペンサ（２３０）にロック可能な一体ハウジング（２２８）と共に設けられる。複数の連続した患者がピルディスペンサ（２３０）を連続して使用できるようにするために、レセプタクル（２００）及びハウジング（２２８）の両方が使い捨てであり、連続する患者の各々について、新しいレセプタクル（２００）及びハウジング（２２８）がピルディスペンサ（２３０）に設けられる。
【００５８】
したがって、本発明の好ましい実施形態は、投薬されるピルの２つの縦列及び複数の横列を有する、複数のピルを含む標準的な市販の二重アレイ型ブリスタパッケージタイプの平型パックから、各タイプのピルを送達する間の所定の処方最小時間間隔で、必要に応じてある治療方式のピルの管理された連続送達を可能にする、イスラエル特許出願第ＩＬ２２０７９４号明細書に記載されたタイプの医薬品ディスペンサ（２３０）と共に使用されるときに、ピルを一度に１又は２以上収容し投薬するためのレセプタクル（２００）をさらに備える。
【００５９】
ピルディスペンサは、少なくとも１つのこのようなブリスタパックを受けて、ブリスタパックを固定ピル放出ステーションまで連続して前進させる少なくとも一対の電動駆動輪へブリスタパックを案内するようにサイズ決めされたアクセスポータルを備える。ピル放出ステーションは、ピル検出手段と、異なる大きさ、形状、及びブリスタパックアレイの間隔のピルを受けるようにサイズ決めされ配置された２つの離間したピル受け開口を有するブリスタパック支持部と、ブリスタパックがディスペンサ内の固定ピル放出ステーションを通って前進すると、開口の１つを介してブリスタの裏材を通ってそれぞれのブリスタから一度に１つのピルを押し出すように、作動時に配置される電動ピル放出押圧手段とを備える。
【００６０】
ディスペンサは、ピルが開口から内部へ入るチャネルと、チャネルからピルを受けるための投薬レセプタクルとをさらに備える。
【００６１】
次に図５を参照すると、医薬品ディスペンサ３００の正面斜視図が見られ、ここでは外部ハウジングが取り外されて、図３に見られる本発明のレセプタクル２００を組み込むディスペンサの内部部品を示す。より詳細には、ブリスタパック（３０４）を挿入するアクセスポータル（３０２）を備えるディスペンサ（３００）が見られる。ブリスタパック（３０４）は、ピル（３０６）の２つの縦列及び複数の横列を有する、複数のピルを含む標準的な市販の二重アレイ型ブリスタパッケージタイプの平型パックであることが好ましい。ブリスタパック（３０４）の遠位縁部（３０５）が、好ましくは平歯車である一対の電動駆動輪（３０８ａ）、（３０８ｂ）によって受けられるまで、許可された医療関係者がブリスタパック（３０４）を手でアクセスポータル（３０２）に挿入する。
【００６２】
好ましい実施形態では、ブリスタパック（３０４）をピル放出ステーション（３１２）側に前進させるための第２の対の駆動輪（３１０ａ）、（３１０ｂ）がある。
【００６３】
図５をさらに参照すると、駆動輪（３０８ａ）、（３０８ｂ）及び（３１０ａ）、（３１０ｂ）は、好ましくはブリスタパック（３０４）がそれに沿って搬送される面（３１４）を有するブリスタパック支持手段の中心縦軸に沿って長手方向に配置される。上部輪（３０８ａ）、（３１０ａ）は面（３１４）の上に位置し、下部輪（３０８ｂ）、（３１０ｂ）は面（３１４）の下に位置する。図５では、下部輪（３０８ｂ）、（３１０ｂ）を示すために、面（３１４）が部分的に切り取られている。面（３１４）の長手方向に離間した開口部（３１６）により、歯車の歯（３０９ａ）、（３０９ｂ）及び（３１１ａ）、（３１１ｂ）が噛み合うことができる。
【００６４】
図３を図４と組み合わせて参照すると、ピル放出ステーション（１１２）及びチャネル（１３２ａ）、（１３２ｂ）が図３に示され、面（１１４）、ブリスタパック（１０４）、チャネル（１３２ａ）、（１３２ｂ）及び１つのピル放出手段（１２６）が図４に示され、ここでは明確にするためにディスペンサの他の部品は取り外されている。
【００６５】
ブリスタパック（３０４）がピル放出ステーション（３１２）に到達すると、ブリスタパック（３０４）の対向する長手方向側部に配置された、例えば、ＩＲ、レーザ源、及び検出器、又は他の検出システムを有するセンサシステムを備えるピル検出手段（図示せず）が、少なくとも１つのピルがピルの第１の列にあるかどうかを判定する。少なくとも１つのピルがある場合、ピル放出ステーション（３１２）の少なくとも１つのピル放出押圧手段（３２６）が起動されて、一度に１つのピルをブリスタから押して、ブリスタパック（３０４）の平らな裏材から面（３１４）のピル受け開口（図示せず）を通して押し出す。
【００６６】
動作時に、例えば、ピル放出手段（３２６）がピル（３０６）を含むブリスタ上に配置されていると判定されると、ピル放出モータが作動されて、ピル放出手段（３２６）が下降することにより、ブリスタからピル受け開口（図示せず）を通してチャネル（３３２ａ）内へピル（３０６）を押し出す。このチャネルは、一度に１つのピルのみが通過できるようにする一方向弁（図示せず）を介して本発明のピル投薬レセプタクル（２００）に開口する。図３及び図４に見られるように、レセプタクル２００は、ユーザがレセプタクルを操作できるようにするためのハンドル（２２６）を備えることが好ましい。
【００６７】
図６及び図６ａを参照すると、収納チャンバ（４０４）からピル（４０８）を収容し投薬するための本発明のレセプタクル（４００）が示され、ここでは、図６ａに示す変位可能な封止クロージャ（４１２）が、少なくとも部分的に重なる複数の可撓性フラップ（４１３）から形成される。
【００６８】
図６ｂを参照すると、封止クロージャ（４１２）が複数の可撓性フィラメント（４１５）から形成される代替実施形態が示される。
【００６９】
次に図７、図７ａ及び図７ｂを参照すると、スパウト出口（５０６）がそれぞれ前記レセプタクル（５００）に解放可能に連結され（図７ａに示す）、かつ前記レセプタクル（５００）から連結解除される（図７ｂに示す）、本発明のレセプタクル（５００）の横断面図及び２つの部分図がそれぞれ見られる。本実施形態では、前記スパウト出口（５０６）が、前記変位可能な封止クロージャ（５１２）に対して、封止クロージャの前で外方へ離間関係に配置された止め面（５０７）を備え、前記止め面が、該止め面を開口させるための、ユーザの口と前記クロージャ（５１２）との間の空気変位を可能にする空気孔（５０９）を備えて、前記面（５０７）が、前記クロージャから出て前記面（５０７）に直面するピル（５０８）を偏向させるように構成され、前記スパウト出口（５０６）が、前記ピルが前記止め面（５０７）に到達することによって偏向されているか否かに関わらず、前記クロージャから出るピル（５０８）を重力の影響下で投薬するように配置された開口部（５１１）をさらに備える。
【００７０】
本発明の実施形態の上記説明は、例示のためのものに過ぎず、網羅的であること、又は本発明を開示された正確な形に限定することを意味するものではなく、多くの修正及び変更が可能であることを理解されたい。このような修正及び変更は、添付の特許請求の範囲により定義される本発明の範囲に含まれるものとする。
【図１】
0006392223.tif 000002
【図２】
0006392223.tif 000003
【図３−４】
0006392223.tif 000004
【図５】
0006392223.tif 000005
【図６】
0006392223.tif 000006
【図７】
0006392223.tif 000007
【図７ａ】
0006392223.tif 000008
【図７ｂ】
0006392223.tif 000009